(57)【要約】【課題】  収容体の大きさを設置場所に合わせて変更可能であって、開閉時に開閉扉が邪魔にならない開閉扉付き収容体を提供する。【解決手段】  本願の開閉扉付き収容体１Ａは、収容物を収容するための開口２を有し、少なくとも支持体２０とを含んで形成されるケース本体３と、前記開口２を開閉するための開閉扉７と、前記ケース本体３の外周に沿って形成されるとともに前記開閉扉７をガイドするためのガイド手段５、６と、を具備する。【選択図】  図２
2005290873.tif 000002
【特許請求の範囲】
【請求項１】
収容物を収容するための開口を有し、少なくとも支持体とを含んで形成されるケース本体と、
前記開口を開閉するための開閉扉と、
前記ケース本体の外周に沿って形成されるとともに前記開閉扉をガイドするためのガイド手段と、
を具備し、
前記支持体は、複数の支持体を備え、前記１の支持体に対して他の支持体が摺動して伸縮可能に設けられるとともに、前記支持体の長さを調節するための長さ調節手段を備え、
前記開閉扉は、蛇腹状の板体であって、少なくとも前記開閉扉のガイド方向における前記開口の長さを有し、
前記ガイド手段は、複数のガイド部材を備え、前記１のガイド部材に対して他のガイド部材が摺動して伸縮可能に設けられるとともに、前記開閉扉のガイド方向における前記開口の長さの少なくとも倍の長さを有することを特徴とする開閉扉付き収容体。
【請求項２】
前記開閉扉とガイド手段との間に連結体を備え、
前記連結体は前記１の板体と他の板体との間であって前記開閉扉の端部に取り付けられていることを特徴とする請求項１に記載の開閉扉付き収容体。
【請求項３】
前記ガイド手段は、前記支持体を縮めるとともに前記開閉扉を開いた状態において、前記開閉扉の少なくとも一部が前記ケース本体の背面で重なるように配置されていることを特徴とする請求項１、又は２に記載の開閉扉付き収容体。
【請求項４】
前記ガイド手段は、前記ケース本体の上部と下部に取り付けられていることを特徴とする請求項１〜３のいずれかに記載の開閉扉付き収容体。
【発明の詳細な説明】
【技術分野】
【０００１】
本願は、物を収容するための開閉扉付き収容体に関する。
【背景技術】
【０００２】
従来、例えば、洋服等を収容するための開閉扉付き収容体７０は、図１５に示すように、前面が開口した箱型のケース本体７１と、ケース本体７１の開口を開閉する開閉扉７２、７２と、を備える。
【０００３】
ケース本体７１の開口の上部及び下部には左右方向に開閉扉７２がスライドするためのスライドレール７３、７３が設けられている。開閉扉７２は、2枚の板体を一対として、開口の左右に設けられている。また、２枚の板体は、ヒンジ７４により連結されている。また、一方の開閉扉７２の側部はヒンジ７５によりケース本体７１に取り付けられている。また、他方の開閉扉７２のコーナ部には、スライドレール７３と連結するための連結体７６、７６が設けられている。この連結体７６は前後方向に回動する。
【０００４】
これにより、収容体７０を開口する場合には、開閉扉７２を左右方向に力を加えることにより、ヒンジ７４によって、２枚の板体が前方に張り出すように折り畳まれて、連結体７６がスライドレール７３に沿って移動し、開口する。一方、開閉扉７２を閉じる場合には、開閉扉７２をガイドレール７３の中心方向に力を加えることにより、連結体７６がスライドレール７３に沿って移動し、ヒンジ７４によって、２枚の板体が平坦となって開口を閉じることができる。
【発明の開示】
【発明が解決しようとする課題】
【０００５】
しかしながら、このような従来の手段等では、開閉時に開閉扉が前方に張り出すために開閉扉が邪魔になるという問題があった。
【０００６】
また、一般に収容体はその形状を変更できないので、引越し等においては、家の形状に合わせて収容体を設置するしか方法がなかった。これにより、家主の設置したい場所に収容体が上手く収まらない場合もあり、そのような場合には、設置場所に合わせて収容体を買い換える必要があった。
【０００７】
そこで、本願は上記各問題点の解決を課題の一例として為されたもので、収容体の大きさを設置場所に合わせて変更可能であって、開閉時に開閉扉が邪魔にならない開閉扉付き収容体を提供することを目的とする。
【課題を解決するための手段】
【０００８】
上記課題を解決するために、請求項１に記載の開閉扉付き収容体は、収容物を収容するための開口（２）を有し、少なくとも支持体（２０）を含んで形成されるケース本体（３）と、前記開口を開閉するための開閉扉（７）と、前記ケース本体の外周に沿って形成されるとともに前記開閉扉をガイドするためのガイド手段（５、６）と、を具備し、前記支持体は、複数の支持体（２０ａ、２０ｂ）から構成され、前記１の支持体に対して他の支持体が摺動して伸縮可能に設けられるとともに、前記支持体を固定して前記支持体の長さを調整するための調整手段（２３）を備え、前記開閉扉は、複数の板体（７ａ）を蛇腹状に形成しているとともに、少なくとも前記開閉扉のガイド方向における前記開口の長さを有し、前記ガイド手段は、複数のガイド部材（３１、３２）を備え、前記１のガイド部材に対して他のガイド部材が摺動して伸縮可能に設けられるとともに、前記開閉扉のガイド方向における前記開口の長さの少なくとも倍の長さを有することを特徴とする。
【発明を実施するための最良の形態】
【０００９】
以下、本願の最良の実施形態について、図１乃至図１３を用いて詳細に説明する。なお、以下に説明する実施の形態は、洋服等を収容するための開閉扉付き収容体として説明するが、当該洋服等を収容するための開閉扉付き収容体に限定されるものではなく、一般的な物置等としても適用できる。
【００１０】
図１は開閉扉付き収容体の外観を示す斜視図、図２は開閉扉付き収容体の正面図、図３は背面図、図４は右側面図、図５は平面図、図６は底面図である。なお、左側面図は右側面図と同じなので省略する。また、図７はケース本体の内部構造図、図８はガイド部材を示し、図８（ａ）は図７のＡ部分の拡大図、図８（ｂ）は図８（ａ）のＤ−Ｄ断面図、図８（ｃ）は図７のＣ部分の拡大図、図９は図７のＢ拡大図、図１０は連結体を示し、図１０（ａ）は連結体の正面図、図１０（ｂ）は連結体の左側面図、図１０（ｃ）は連結体を開閉扉に取り付けた図である。また、図１１は開閉扉を開けた際の状態を示す斜視図である。さらに、図１２はケース本体を左右方向に縮めた際の状態を示す斜視図、図１３は図１２において開閉扉を開けた状態を示す斜視図である。また、本実施形態では、説明し易いように、図２の上下左右方向を本願の開閉扉付き収容体の上下左右方向として説明するが、本願の開閉扉付き収容体の実施形態がこの実施形態に限定されるものではない。
【００１１】
先ず、図１〜図１１を参照して、本願に係る開閉扉付き収容体の構成について説明する。
【００１２】
図示のように、開閉扉付き収容体１Ａは、前面に洋服等の収容物を収容するための開口２を有する箱型のケース本体３と、ケース本体３の外周に沿って形成されるとともに、ケース本体２の上部および下部に取り付けられる開閉扉７を案内（以下、「ガイド」と称する。）するための一対のガイドレール５、６と、一対のガイドレール５、６に支持されるケース本体３の開口２を開閉するための取手７ａを有する開閉扉７と、を備えている。また、ケース本体３には、見栄えを良くするために略矩形状の板体１１、１２、１３によってケース本体３の上面、側面が覆われている。また、ケース本体の上面に設けられる板体１１は、左右及び真ん中の３枚の板体からなり、真ん中の板体１１ａは取り外し可能に設けられている。ケース本体３の幅方向を縮める際に当該板体１１ａは取り外される。なお、本実施形態におけるガイドレール５、６は本発明のガイド手段として機能する。
【００１３】
ケース本体３は、床面から垂設される一対の側体１６、１６と、一対の側体１６の上方、及び下方に一対の側体１６に対して垂設して両方の側体１６を繋ぐ支持体２０、２０、２０と、を備える。側体１６は、複数の支持体２１、２１、…、２１により枠組みが形成されている。このようにして形成されたケース本体３は、箱型形状の骨組み構造に形成されている。
【００１４】
また、支持体２０は、図９に示すように、２つの支持体２０ａ、２０ｂから構成される。この支持体２０ａ、２０ｂは円筒形状であり、一方の支持体２０ａに対し他方の支持体２０ｂの直径は小さく形成されている。これにより、一方の支持体２０ａに対して他方の支持体２０ｂが摺動して伸縮可能である。また、前記一方の支持体２０ａの一部（先端近傍）には支持体２０ａの中央に貫通する貫通孔２２を有し、当該貫通孔２２にはネジ部２３ａを有するつまみ２３が取り付けられる。当該つまみ２３を回転することにより、ネジ部２３ａが一方の支持体２０ａを貫通し、当該他方の支持体２０ｂの一部を押圧する。これにより、支持体２０ｂを固定し、支持体２０の長さを調節することができる。なお、本実施形態におけるつまみ２３は、本発明の長さ調整手段として機能する。
【００１５】
ケース本体３の上部に取り付けられるガイドレール５は、一対のＵ字状のガイド部材２５、２６により形成されている。ガイド部材２５、２６は、断面形状がＣ状の溝２７を有する（図８（ｃ））。この溝２７はガイドレール５の底面に形成されている。また、一方のガイド部材２６の隣には、ガイドレール５の底面に溝２７が形成されている所定の長さを有するガイド部材２８が並べて配置されている（図７）。
【００１６】
また、一方のガイド部材２６の外径は他方のガイド部材２５の外径よりも大きく形成され、一方のガイド部材２６の端部は他方のガイド部材２５の端部と接続される。その際、他方のガイド部材２５の一方の端部は、他方のガイド部材体２６と並べて配置されたガイド部材２８の端部に接続される。これにより、他方のガイド部材２５は、一方のガイド部材２６、及びガイド部材２８下部を摺動しスライド移動できるので、ガイドレール５は左右方向に自由に伸縮できる。
【００１７】
一方、ケース本体３の下部に取り付けられるガイドレール６は、図８（ａ）に示すように、一対のＵ字状のガイド部材３１、３２により形成されている。ガイド部材３１、３２は、断面形状がＣ状の溝３３を有する（図８（ｂ））。この溝３３は上部に形成されている。また、一方のガイド部材３２の隣には、上部に溝３３が形成されている所定の長さを有するガイド部材３４が並べて配置されている（図６、図７）。
【００１８】
また、一方のガイド部材３２の外径は他方のガイド部材３１の外径よりも大きく形成され、一方のガイド部材３２の端部は他方のガイド部材３１の端部と接続される。その際、他方のガイド部材３１の一方の端部は、他方のガイド部材３１と並べて配置されたガイド部材３４の端部に接続される。これにより、他方のガイド部材３１は、一方のガイド部材３２上を摺動しスライド移動できるので、ガイドレール５と同様に、ガイドレール６も左右方向に自由に伸縮できる。
【００１９】
なお、ガイドレール５、６は、開閉扉７のガイド方向におけるケース本体３の開口２の長さの少なくとも倍の長さを有している必要がある。このようにすれば、開閉扉７は開口２を完全に開閉することができる。
【００２０】
また、ガイドレール５、６は、支持体２０を縮めるとともに開閉扉７を開いた状態において、開閉扉７の少なくとも一部がケース本体３の背面で重なるように配置されているとよい。このようにすれば、支持体を縮めても開閉扉７は開口２を完全に開閉することができる。
【００２１】
開閉扉７は、略矩形上の板体７aが複数並べて形成されている。板体７ａと板体７ａとの間には、上下方向全長にわたって１の板体７ａが他の板体７ａと独立して回動するための連結部材３５がそれぞれ備えられている。即ち、開閉扉７は、複数の板体７ａを蛇腹状に形成している。これにより、ガイドレール５、６が曲折していても、開閉扉７はガイドレール５、６から脱落することなく曲がることができる。
【００２２】
また、開閉扉７の左右方向の長さは、ガイド方向におけるケース本体３の開口２の長さを有している。
【００２３】
また、連結部材３５の上部、及び下部には、ガイドレール５、６の溝２７、３３と連結するための連結体４０を備えている。図１０に示すように、連結体４０は、開閉扉７の所定の２枚の板体７ａのコーナ部を挟みこんで支持するための一対の支持板４１と、支持板４１からガイドレール５、６側へ突出して設けられるピン４２と、ピン４２の軸４２ａ上を矢印に示すように摺動する円形状の摺動部材４３と、を備えている。また、ピン４２の先端は摺動部材４３の脱落を防止するために軸４２ａの径より少し大きく形成されている。また、連結体４０の摺動部材４３と支持板４１との間にはガイドレール５、６の溝２７、３３が嵌合する。
【００２４】
このように、連結体４０の先端（摺動部材４３）がこのガイドレール５、６の溝２７、３３と嵌合することにより、開閉扉７をガイドレール５、６にしっかりと連結することができるとともに開閉扉７をガイドレール５、６に沿って所定のガイド方向に容易に摺動（移動）できる。また、開閉扉７の開閉時において、連結体４０がガイドレール５、６の溝２７、３３から脱落するのを防止できる。また、連結体４０と開閉扉７との間に弾性体を備え、上下に多少伸縮できるようにすると良い。これにより、ガイドレール５、６の溝２７、３３に対して開閉扉７を容易に脱着できる。
【００２５】
また、連結体４０は１の板体７ａと他の板体７ａとの間であって開閉扉７の端部に取り付けられている。このようにすれば、開閉扉７の開閉時に、開閉扉７の板体７ａが折り畳まれることがない。
【００２６】
次に、本実施形態の開閉扉の開閉動作について図１、及び図１１を用いて説明する。
【００２７】
まず、支持体２０が最大長さに調整されている場合の開閉扉の開閉動作について説明する。図１に示す右側の開閉扉７に有する取手７ａを持って右方向に力を加えることにより、開閉扉７が連結体４０を介しガイドレール５に沿って摺動する。開閉扉７は、ケース本体３の背面へとガイドされ、ケース本体３の開口２の右半分が開口する。一方、左側の開閉扉７も同様に取手７ａを持って左方向に力を加えることにより、開閉扉７が連結体４０を介してガイドレール５に沿って摺動する。開閉扉７は、ケース本体３の背面へとガイドされ、ケース本体３の左半分が開口し、図１１に示すように、ケース本体３が全開する。
【００２８】
このように、支持体２０が最大長さに調整されている場合には、特に問題がないが、支持体２０を縮めた場合には、ガイドレール５の長さが足りずにケース本体３の開口２を全開することができなくなることが考えられる。そこで、本願は、ケース本体３の背面において、ガイドレール５の両端部近傍を並べて配置している。このようにすれば、左右の開閉扉７はケース本体３の背面において重なるように配置（収納）され、ケース本体３の開口を全開することができる。
【００２９】
なお、ケース本体３の幅を最小に縮める場合には、支持体２０の１の支持体に対して他の支持体を摺動させることにより支持体２０を縮める。また、ケース本体３が幅方向に複数の支持体２０を備えていれば、当該支持体２０を同様に縮めるとともに、ガイドレール５も同様に縮ませる。そして中板１１ａを取り外すことにより、図１２に示すように、ケース本体３を幅方向に縮めることができる。
【００３０】
図１２に示すように、ケース本体３の幅を最小に縮めた状態において、開閉扉７を開ける際には、上記と同様に、左右の開閉扉７をそれぞれの方向に摺動させることで全開できる（図１３）。その際、左右の開閉扉７はケース本体３の背面において重なって配置される。
【００３１】
次に、本願の開閉扉付き収容体の他の実施の形態について図１４を用いて説明する。図１４は他の実施例の収容体の内部構造を示し、図１４（ａ）は第１実施例、図１４（ｂ）は第２実施例である。なお、最良の実施形態と同じ部分には同一符号を付し、説明を省略する。
【００３２】
本実施形態の開閉扉付き収容体１Ｂは、図１４（ａ）に示すように、ケース本体３の上部には水平方向に一対の側体１６を繋ぐ支持体５５を複数、備えている。また、ケース本体３の下部には、略Ｌ字状の支持体５６を一方の側体１６から水平方向に備えている。このようにすれば、当該支持体５５、５６に、例えば、洋服がかけられた衣紋かけをかけることができ、洋服等を整理して収容することができる。
【００３３】
また、図１４（ｂ）に示すように、本実施形態の開閉扉付き収容体１Ｃは、両側体１６の間に床面から垂設して略Ｈ形状の支持体５７を設けるようにしてもよい。さらに、当該支持体５７と一方の側体１６とを繋ぐ支持体５８を備えるようにしてもよい。このようにすれば、ケース本体３の剛性を高めることもできる。さらに、ケース本体３の内部を仕切ることも可能である。
【００３４】
また、所定の支持体２０、５５、５６、５７、５８や側体１６と連結して適宜必要な箇所に支持体を備えるようにしてもよい。
【００３５】
また、支持体は他の支持体や側体とねじ等の固定具により取り外し可能に取り付けられ、分解、組立てが容易にできるように形成されていることが好ましい。
【００３６】
以上説明したように、上記実施形態によれば、本願に係る開閉扉付き収容体１Ａは、収容物を収容するための開口２を有し、少なくとも支持体２０を含んで形成されるケース本体３と、前記開口２を開閉するための開閉扉７と、前記ケース本体３の外周に沿って形成されるとともに前記開閉扉７をガイドするためのガイドレール５、６と、を具備し、前記支持体２０は、複数の支持体から構成され、前記１の支持体に対して他の支持体が摺動して伸縮可能に設けられるとともに、前記支持体の長さを調節するための長さ調節手段を備え、前記開閉扉７は、蛇腹状の板体７ａであって、少なくとも前記開閉扉７のガイド方向における前記開口２の長さを有し、前記ガイドレール５、６は、複数のガイド部材３１、３２から構成され、前記１のガイド部材３２に対して他のガイド部材３１が摺動して伸縮可能に設けられるとともに、前記開閉扉７のガイド方向における前記開口２の長さの少なくとも倍の長さを有する。このようにすれば、ケース本体の大きさを自由に変更できるとともに、ケース本体の大きさを最小にした場合においても、開閉扉を全開することができる。
【００３７】
また、前記開閉扉７とガイドレール５、６との間に連結体４０を備え、前記連結体４０は前記１の板体７ａと他の板体７ａとの間であって前記開閉扉７の端部に取り付けられている。このようにすれば、開閉扉７がガイドレール５、６に沿って移動する最中に、開閉扉７の板体７ａが折り畳まれることなく、ガイドレール５、６に沿って開閉扉７を移動できる。
【００３８】
また、ガイドレール５、６は、支持体２０を縮めるとともに開閉扉７を開いた状態において、開閉扉７の少なくとも一部がケース本体３の背面で重なるように配置されている。このようにガイドレール５、６は、ケース本体３の背面において一方の端部近傍と他方の端部近傍とが並べて配置されるので、ガイドレールの長さを容易に長くとることができ、支持体２０を縮めても開閉扉７は開口２を完全に開口することができる。また、ガイドレール５、６は、ケース本体３の上部と下部に取り付けられている。このようにすれば、開閉扉７をしっかりと支持しつつガイドすることができる。
【００３９】
なお、本実施形態は一形態であって、この形態に限定されるものではない。例えば、支持体２０、２１は円筒形状に限定される必要はなく、角筒形状等であってもよい。また、開閉扉７は板材に限定される必要はなく、プラスチック材等の材料であっても構わない。
【図面の簡単な説明】
【００４０】
【図１】開閉扉付き収容体の外観を示す斜視図である。
【図２】開閉扉付き収容体の正面図である。
【図３】開閉扉付き収容体の背面図である。
【図４】開閉扉付き収容体の右側面図である。
【図５】開閉扉付き収容体の平面図である。
【図６】開閉扉付き収容体の底面図である。
【図７】ケース本体の内部構造図である。
【図８】ガイド部材を示し、図８（ａ）は図７のＡ部分の拡大図、図８（ｂ）は図８（ａ）のＤ−Ｄ断面図、図８（ｃ）は図７のＣ部分の拡大図である。
【図９】図７のＢ部分の拡大図である。
【図１０】連結体を示し、図１０（ａ）は連結体の正面図、図１０（ｂ）は連結体の左側面図、図１０（ｃ）は連結体を開閉扉に取り付けた図である。
【図１１】開閉扉を開けた際の状態を示す斜視図である。
【図１２】ケース本体を左右方向に縮めた際の状態を示す斜視図である。
【図１３】図１２において開閉扉を開けた状態を示す斜視図である。
【図１４】他の実施例の収容体の内部構造を示し、図１４（ａ）は第１実施例、図１４（ｂ）は第２実施例である。
【図１５】従来の開閉扉付き収容体の外観図である。
【符号の説明】
【００４１】
２  開口
５、６  ガイドレール
７  開閉扉
７ａ  板体
２０、２０ａ、２０ｂ  支持体
２３  つまみ
３１、３２  ガイド部材
【図１】
2005290873.tif 000003
【図２】
2005290873.tif 000004
【図３】
2005290873.tif 000005
【図４】
2005290873.tif 000006
【図５】
2005290873.tif 000007
【図６】
2005290873.tif 000008
【図７】
2005290873.tif 000009
【図８】
2005290873.tif 000010
【図９】
2005290873.tif 000011
【図１０】
2005290873.tif 000012
【図１１】
2005290873.tif 000013
【図１２】
2005290873.tif 000014
【図１３】
2005290873.tif 000015
【図１４】
2005290873.tif 000016
【図１５】
2005290873.tif 000017